(57)【要約】【課題】    遊技盤に組み込まれる機歴等の管理情報を不可視的にして、除去不能にすることで、遊技機の違法改造、違法投棄、違法輸出等の各種違法行為の対象の遊技機の特定を容易にすることである。【解決手段】  表面に所定の図柄が形成されて、当該表面に無数の遊技釘及び役物類が取付けられた遊技機の遊技盤Ｐ1 であって、前記遊技盤Ｐ1 は、発泡樹脂製であって、その表面の図柄は、直接に印刷することで形成され、前記印刷のための印刷データ内に、機種管理のための機歴に係る情報を電子透かしとして埋め込んだ状態で、前記印刷が施されて、印刷された前記図柄を読み取った画像をデータ化し、当該画像データを原情報に変換することで、当該原情報の読み取りを可能にする。【選択図】  図２
2015093144.tif 000002
【特許請求の範囲】
【請求項１】
表面に所定の図柄が形成されて、当該表面に無数の遊技釘及び役物類が取付けられた遊技機の遊技盤であって、
前記遊技盤は、発泡樹脂製であって、その表面の図柄は、直接に印刷することで形成され、
前記印刷のための印刷データ内に、機種管理のための機歴に係る情報を電子透かしとして埋め込んだ状態で、前記印刷が施されて、
印刷された前記図柄を読み取った画像をデータ化し、当該画像データを原情報に変換することで、当該原情報の読み取りを可能にしたことを特徴とする遊技機の遊技盤。
【請求項２】
前記遊技盤の表面には、図柄が印刷されたセル板が貼着され、
当該セル板の図柄の印刷データ内に、機種管理のための機歴に係る情報を電子透かしとして埋め込んだ状態で、前記印刷が施されて、
印刷された図柄を読み取った画像をデータ化し、当該画像データを原情報に変換することで、当該原情報の読み取りを可能にしたことを特徴とする請求項１に記載の遊技機の遊技盤。
【請求項３】
前記電子透かしは、印刷部の全域に亘って埋め込まれていることを特徴とする請求項１又は２に記載の遊技機の遊技盤。
【発明の詳細な説明】
【技術分野】
【０００１】
本発明は、パチンコ機の機種管理のための機歴（machine history)に関する情報が組み込まれた遊技機の遊技盤に関するものである。
【背景技術】
【０００２】
遊技機の製造においては、機種管理、或いは後日に製造履歴の確認等のために、従来においては、遊技者から見えない遊技盤のコーナー部等に印刷することで対処していた。例えば、特許文献１では、バーコードが使用され、特許文献２では、二次元コード〔「ＱＲコード（登録商標）」とも称される〕が使用されている。
【０００３】
遊技機は、パチンコホールに納入された後に、制御装置の改造等によって、賭博性を高めて違法（闇）使用されたり、使用済の遊技機が野外に違法に投棄されたり、更に、バーゼル条約の規定に反して、遊技機が海外に輸出されたりする違法輸出等が発生する。この場合において、違法行為（者）を特定するためには、当該違法行為に供せられた遊技機自体を特定することが、最も確実な方法である。なお、バーゼル条約とは、有害破棄物の国境を越える移動及びその処分の規制に係る条約であって、１９９２年５月５日に発効し、日本国は、当該条約に１９９３年に加盟している。
【０００４】
しかし、従来のバーコード及び二次元コードは、いずれも特定の形状或いは記号が遊技盤に直接に印刷されたものであって、可視性を有しているため、違法行為者によって容易に削り取られることで、必要な機種管理に係る情報が故意に消失される。この結果、違法行為の対象の遊技機の特定を困難にすることで、違法行為自体を容易化させていると共に、違法行為（者）の特定を困難にさせているのが実情である。
【先行技術文献】
【特許文献】
【０００５】
【特許文献１】特開平７−３１３６７３号公報
【特許文献２】特開２００８−１１３８５３号公報
【発明の概要】
【発明が解決しようとする課題】
【０００６】
本発明は、遊技盤に組み込まれる機歴等の管理情報を不可視的に、しかも除去不能にすることで、上記した各種違法行為の対象の遊技機の特定を容易にすることを課題としている。
【課題を解決するための手段】
【０００７】
上記課題を解決するための請求項１の発明は、表面に所定の図柄が形成されて、当該表面に無数の遊技釘及び役物類が取付けられた遊技機の遊技盤であって、前記遊技盤は、発泡樹脂製であって、その表面の図柄は、直接に印刷することで形成され、前記印刷のための印刷データ内に、機種管理のための機歴に係る情報を電子透かしとして埋め込んだ状態で、前記印刷が施されて、印刷された前記図柄を読み取った画像をデータ化し、当該画像データを原情報に変換することで、当該原情報の読み取りを可能にしたことを特徴としている。
【０００８】
電子透かし技術は、印刷のデジタルデータに、電子透かしに係る別のデータを埋め込む技術であって、認証コードと、多数桁（通常は１０桁）の実データ（原情報）の結合から成る合成データを、印刷データに埋め込んで印刷することで、電子透かしに係る当該合成データを不可視化しておき、その後に、前記認証コードと照合させて、印刷図柄を読み取った画像をデータ化して、前記合成データに係る電子透かしを復元させることで、前記実データに係る原情報を取得する技術である。不可視性を本質とする電子透かし技術を用いる殆どの目的は、商品、証明書類の偽造防止又は真偽判定であり、既に一部の国においては、パスポート、免許証等の身分証明書類に実施されている。
【０００９】
請求項１の発明では、遊技盤は樹脂製であって、その表面に図柄が直接に印刷され、上記の実データは、遊技機の製造番号、メーカー名、出荷年月日、出荷先等の機歴に係る管理情報である。
【００１０】
請求項１の発明によれば、電子透かしは、不可視的であるため、その存在自体が不明であって、しかも違法行為者による除去が不能であるため、違法行為に係る遊技盤は、前記認証コードの保有者によって特定が可能となる。この結果、違法行為（者）の検挙が容易になるのに加えて、遊技盤の図柄に埋め込まれた電子透かしは、違法行為に対する抑止力として作用して、当該違法行為を未然に防止できる効果も併有する。
【００１１】
また、請求項１の発明は、樹脂製の遊技盤の表面に直接に図柄が印刷されて、当該図柄に電子透かしが埋め込まれているため、図柄の全ての剥し取りは、多くの手間を要する。この点も、電子透かしの完全消失を防止できる一因となる。なお、電子透かし技術は、高温・多湿等の環境に対する耐力である耐環境性が高く、しかも、図柄における電子透かしに係る部分の欠損、汚れ、歪みが生じても、読み取り可能である特質を有する。
【００１２】
請求項２の発明は、請求項１の発明において、前記遊技盤の表面には、図柄が印刷されたセル板が貼着され、当該セル板の図柄の印刷データ内に、機種管理のための機歴に係る情報を電子透かしとして埋め込んだ状態で、前記印刷が施されて、印刷された図柄を読み取った画像をデータ化し、当該画像データを原情報に変換することで、当該原情報の読み取りを可能にしたことを特徴としている。
【００１３】
請求項２の発明においては、遊技盤の表面には、セル板が貼着され、電子透かしの埋込み対象は、当該セル板に印刷された図柄である点が、請求項１の発明と異なるのみであって、電子透かしの有する違法行為の対象の遊技機の特定に関する利点は、請求項１の発明と同一である。
【００１４】
請求項３の発明は、請求項１又は２の発明において、前記電子透かしは、印刷部の全域に亘って埋め込まれていることを特徴としている。
【００１５】
請求項３の発明によれば、遊技盤の表面の印刷部の全てが削り取られない限り、印刷部には、電子透かしが存在するので、遊技機の機歴に係る情報の取得が可能となる。この結果、遊技機の特定を一層確実に行える。
【発明の効果】
【００１６】
本発明によれば、電子透かしは、不可視的のために、その存在自体が分らず、しかも違法行為者によって、除去することが不能であるため、違法行為に係る遊技盤は、いつの時点においても、前記認証コードの保有者によって特定が可能となる結果、違法行為（者）の検挙が容易になるのに加えて、遊技盤の図柄に埋め込まれた電子透かしは、違法行為に対する抑止力として作用して、当該違法行為を未然に防止できる効果もある。
【図面の簡単な説明】
【００１７】
【図１】印刷データに対して電子透かしを埋め込んで、遊技盤Ｐ1 の表面に図柄を印刷するシステムのフローチャート（概念図）である。
【図２】電子透かしが埋め込まれた遊技盤Ｐ1 の表面の図柄から管理情報を取得するシステムのフローチャート（概念図）である。
【図３】遊技盤Ｐ1 の断面図である。
【図４】管理情報の一例を示す図である。
【図５】表面にセル板３が貼着されたベニヤ板製の遊技盤Ｐ2 の断面図である。
【発明を実施するための形態】
【００１８】
以下、複数の実施例を挙げて、本発明を更に詳細に説明する。
【実施例１】
【００１９】
実施例１の遊技盤Ｐ1 は、図３に示されるように、発泡樹脂で成形されて、デジタル印刷機によって、その表面には所定の図柄が直接に印刷されて、印刷部１となっている。
【００２０】
図１にシステムによって、印刷のための画像元データには、電子透かしが埋め込まれて、電子透かし埋込み済みの印刷用データとなる。電子透かしに係るデータ（原情報）は、遊技機の種類、図柄の種類等の対象の特定を可能とするＩＤと、多数桁（通常は１０桁）の実データとの組み合せから成る。管理ＩＤデータベースから取り込まれたＩＤが、埋込みＩＤ成形モジュールにより生成されて、前記実データと組み合わされて、透かし暗号化ソフトウェアにより暗号化されて、画像元データに電子透かしとして埋め込まれる。このようにして、電子透かしが埋め込まれた印刷データは、デジタル印刷機によって、発泡樹脂製の遊技盤Ｐ1 の表面に直接に印刷される。印刷部１に埋め込まれた電子透かしは、不可視的であって、その存在は、全く認識できない。
【００２１】
この場合において、電子透かしは、印刷部１の全域に亘って埋め込むことで、印刷部１の一部が削り取られる等して、消失されても、残りの印刷部１に埋め込まれている電子透かしの復元により、遊技盤Ｐ1 （遊技機）の特定が可能となる利点がある。
【００２２】
上記した電子透かしの実データとしては、例えば、図４に示されるように、遊技機の特定を可能にするための機歴として、製造番号（１２３４５６７８９），メーカー名（Ｘ株式会社），出荷年月日（２０１３年１１月１日），出荷先（Ｙパチンコホール）等が挙げられる。
【００２３】
一方、遊技盤Ｐ1 に埋め込まれた電子透かしに係るデータ（原情報）を読み取るには、図２に示されるように、専用リーダー１１のリーダー光を遊技盤Ｐ1 にかざして、印刷部１を照射することで、印刷部１の図柄を画像データとして読み取った後に、当該画像データを透かし復元化ソフトウェアにより、電子透かしに係るデータ（原情報）に復元させると共に、当該データ（原情報）のＩＤと、管理ＩＤデータベースに蓄積されているＩＤとを照合させて認証コードが一致することを条件に、当該データ（原情報）の取得が可能となる。取得された電子透かしに係るデータ（原情報）は、専用リーダー１１に接続された電子透かし処理用の専用パソコン１２に表示可能である。
【００２４】
上記のようにして、電子透かしの認証コードの保有者のみによって、当該電子透かしのデータ（原情報）、即ち、当該遊技機の特有の機歴を読み取ることが可能となる。電子透かしは、不可視であって、その存在が分らず、しかも耐環境性が強いと共に、印刷部１の図柄の欠損、汚れ、歪み等によっても、変質されることはないので、上記方法によって、電子透かしに係るデータ（原情報）の読み取りが可能となる。
【００２５】
この結果、遊技機が違法使用、違法廃棄、違法輸出等された場合であっても、違法行為者による電子透かしの除去ができないので、違法行為に係る遊技盤（遊技機）の特定が可能となって、当該違法行為の摘発が容易となると共に、電子透かしの埋め込みが違法行為者に対して違法行為の抑止力としても作用するため、上記した違法行為の発生を未然に防止できる。
【実施例２】
【００２６】
実施例２の遊技盤Ｐ2 は、ベニヤ板２と、当該ベニヤ板２の表面に貼着されたセル板３とから成る。セル板３は、印刷紙３ａと、当該印刷紙３ａの表面を覆う透明で薄い合成樹脂板製の保護板３ｂとから成り、印刷紙３ａの表面が印刷部４となる。
【００２７】
実施例２の遊技盤Ｐ2 は、印刷紙３ａの表面の印刷部４に図柄を印刷する際に、上記したように、電子透かしを埋め込む構造である。印刷紙３ａと保護板３ｂとは、接着により強固に一体化されているので、印刷紙３ａの表面の印刷部４に施された図柄の除去が一層困難となって、図柄の除去と一体となる電子透かしの除去が一層に困難となる利点がある。このセル板３においても、上記した理由によって、印刷部４の全域に亘って電子透かしを施すことが望ましい。なお、電子透かし自体の機能は、実施例１と同様である。
【００２８】
なお、本発明において、遊技盤の印刷部に埋め込まれた電子透かしには、偽装防止及び真偽判定の目的は、全く存在しない。
【符号の説明】
【００２９】
Ｐ1 ，Ｐ2 ：遊技盤
１：樹脂製の遊技盤の印刷部
２：ベニヤ板
３：セル板
３ａ：セル板の印刷紙
３ｂ：セル板の保護板
４：セル板の印刷部
１１：専用リーダー
１２：専用パソコン
【図１】
2015093144.tif 000003
【図２】
2015093144.tif 000004
【図３】
2015093144.tif 000005
【図４】
2015093144.tif 000006
【図５】
2015093144.tif 000007